(57)【要約】【課題】芯線の素線間の導通を確実に確保でき、回路全体の抵抗を低減できる電線圧着用電線、及び、電線付き圧着端子を提供する。【解決手段】複数の素線１ａ、１ｂからなる芯線１と芯線１を覆う絶縁外皮２とを有し、絶縁外皮２が除去された芯線１が圧着端子１０に圧着される圧着端子用電線Ｗであって、芯線１は、硬度が異なる複数種類の素線１ａ、１ｂから形成されている。【選択図】図１
2015076354.tif 000002
【特許請求の範囲】
【請求項１】
複数の素線からなる芯線と前記芯線を覆う絶縁外皮とを有し、前記絶縁外皮が除去された前記芯線が圧着端子に圧着される圧着端子用電線であって、
前記芯線は、硬度が異なる複数種類の素線から形成されていることを特徴とする圧着端子用電線。
【請求項２】
請求項１記載の圧着端子用電線であって、
前記芯線は、アルミ製であり、硬度が異なる二種類のアルミ製の素線から形成されていることを特徴とする圧着端子用電線。
【請求項３】
請求項１又は請求項２記載の圧着端子用電線であって、
前記芯線は、硬度が異なる素線同士が１箇所以上で隣接する配列パターンであることを特徴とする圧着端子用電線。
【請求項４】
複数の素線からなる芯線と前記芯線を覆う絶縁外皮とを有し、前記絶縁外皮が除去された前記芯線を圧着する電線付き圧着端子であって、
硬度が異なる複数種類の素線からなる前記芯線を圧着していることを特徴とする電線付き圧着端子。
【請求項５】
請求項４記載の電線付き圧着端子であって、
硬度が異なる二種類の素線からなるアルミ製の芯線を圧着していることを特徴とする電線付き圧着端子。
【発明の詳細な説明】
【技術分野】
【０００１】
本発明は、圧着端子用電線及び電線付き圧着端子に関する。
【背景技術】
【０００２】
従来より、電線と圧着端子間の電気接続は次のような構成である。つまり、圧着端子は、芯線圧着部と外皮圧着部を有する。電線は、複数の素線からなる芯線と芯線を覆う絶縁外皮とを有し、先端側の絶縁外皮が除去されて芯線が露出されている。そして、圧着端子は、芯線圧着部によって露出された芯線を加締め圧着し、外皮圧着部によって絶縁外皮を加締め圧着している（例えば、特許文献１、２参照）。
【先行技術文献】
【特許文献】
【０００３】
【特許文献１】特開２０１０−１００００号公報
【特許文献２】特開２０１０−１０００１号公報
【発明の概要】
【発明が解決しようとする課題】
【０００４】
このような電線と圧着端子との圧着箇所では、芯線の素線間の導通が得られない場合に回路全体の抵抗が高くなる。
【０００５】
そこで、本発明は、芯線の素線間の導通を確実に確保でき、回路全体の抵抗を低減できる電線圧着用電線、及び、電線付き圧着端子を提供することを目的とする。
【課題を解決するための手段】
【０００６】
本発明は、複数の素線からなる芯線と前記芯線を覆う絶縁外皮とを有し、前記絶縁外皮が除去された前記芯線が圧着端子に圧着される圧着端子用電線であって、前記芯線は、硬度が異なる複数種類の素線から形成されていることを特徴とする圧着端子用電線である。
【０００７】
前記芯線は、アルミ製であり、硬度が異なる二種類のアルミ製の素線から形成されているものであっても良い。前記芯線は、硬度が異なる素線同士が１箇所以上で隣接する配列パターンであっても良い。
【０００８】
他の本発明は、複数の素線からなる芯線と前記芯線を覆う絶縁外皮とを有し、前記絶縁外皮が除去された前記芯線を圧着する電線付き圧着端子であって、硬度が異なる複数種類の素線からなる前記芯線を圧着していることを特徴とする電線付き圧着端子である。
【０００９】
硬度が異なる二種類の素線からなるアルミ製の芯線を圧着しているものであっても良い。
【発明の効果】
【００１０】
本発明によれば、圧着端子による圧着過程で芯線が圧着力を受けると、芯線の各素線が伸びて新生面が発生すると共に、硬度の相違によって伸び量が異なるために、新生面が発生した素線間が摺動して凝着が発生し、素線間の導通を確実に確保でき、回路全体の抵抗を低減できる。
【図面の簡単な説明】
【００１１】
【図１】本発明の一実施形態を示し、圧着端子に電線を圧着する前の斜視図である。
【図２】本発明の一実施形態を示し、電線を圧着した圧着端子の側面図である。
【図３】本発明の一実施形態を示し、図２のＡ−Ａ線断面図である。
【図４】本発明の一実施形態を示し、（ａ）は電線の芯線（柔らかい素線を白抜き表示、硬い素線をハッチング表示）の斜視図、（ｂ）〜（ｄ）は芯線の素線の配列パターンの各変形例を示す図である。
【図５】本発明の一実施形態を示し、加締め治具の斜視図である。
【図６】本発明の一実施形態を示し、加締め治具による加締め作業を説明する側面図である。
【図７】本発明の一実施形態を示し、加締め圧着過程中の柔らかい素線と硬い素線間の伸び量の相違を示す概念図である。
【発明を実施するための形態】
【００１２】
以下、本発明の一実施形態を図面に基づいて説明する。
【００１３】
図１〜図７は本発明の一実施形態を示す。図１〜図４に示すように、圧着端子用電線（以下、電線）Ｗは、複数の素線１ａ，１ｂからなる芯線１と芯線１の外周を覆う絶縁外皮２とから構成されている。電線Ｗの先端側は、絶縁外皮２が除去されて芯線１が露出されている。芯線１は、図４に詳しく示すように、アルミニウム製又はアルミニウム合金製（以下、アルミ製）である。つまり、電線Ｗは、アルミ電線である。芯線１は、硬度が異なる二種類のアルミ製の素線１ａ，１ｂから形成されている。二種類の素線１ａ，１ｂは、柔らかい素線１ａと硬い素線１ｂであり、これらが混在され、且つ、互いに撚られている。図４（ａ）、図７では、明確化のために、柔らかい素線１ａを白抜き表示、硬い素線１ｂをハッチング表示してある。芯線１は、図４（ａ）に示すように、柔らかい素線１ａと硬い素線１ｂがいずれか１箇所以上で隣接する配列パターンになっている。柔らかい素線１ａと硬い素線１ｂがいずれか１箇所以上で隣接する配列パターンとしては、図４（ｂ）〜（ｄ）に示すパターンがある。
【００１４】
図１〜図３に示すように、電線付き圧着端子（以下、圧着端子）１０は、銅合金製であり、所定形状に裁断したプレートを折り曲げ加工することによって形成されている。圧着端子１０は、相手端子接続部１１と電線接続部１５を有する。電線接続部１５は、芯線圧着部１６と外皮圧着部１７を有する。芯線圧着部１６は、基底部１６ａとこの基底部１６ａの両側から延設された一対の加締め片部１６ｂを有する。芯線圧着部１６の基底部１６ａと一対の加締め片部１６ｂの内面には、多数の丸形状の溝（セレーション）１８が形成されている。外皮圧着部１７は、基底部１７ａとこの基底部１７ａの両側から延設された一対の加締め片部１７ｂを有する。
【００１５】
圧着端子１０は、芯線圧着部１６によって露出された芯線１を加締め圧着し、外皮圧着部１７によって絶縁外皮２を加締め圧着している。
【００１６】
圧着端子１０は、図５に示す加締め治具２０によって圧着される。加締め治具２０は、その加締め先端側に最終的な加締め外周形状の加締め溝２１を有する。図６に示すように、加締め治具２０によって一対の芯線加締め片部１６ｂを上方から押圧すると、加締め溝２１に沿って一対の加締め片部１６ｂが塑性変形される。
【００１７】
この芯線加締め片部１６ｂの加締め過程では、電線Ｗの芯線１が圧着力を受ける。すると、図７に示すように、芯線１の各素線１ａ，１ｂが伸びて新生面が発生すると共に、柔らかい素線１ａと硬い素線１ｂでは伸び量が異なるために、新生面が発生した素線１ａ，１ｂ間が摺動し、摺動した素線１ａ，１ｂ間で凝着が発生する。素線１ａ，１ｂ間が凝着すると、素線１ａ，１ｂ間の導通を確実に確保でき、回路全体の抵抗を低減できる。
【００１８】
このように電線Ｗの芯線１の構成を変更することによって、素線１ａ，１ｂ間の導通を確保できるため、単線化等に較べてほとんどコストアップなしに圧着箇所の電気抵抗を低減できる。
【００１９】
芯線圧着部１６の内面には、溝（セレーション）１８が設けられている。芯線１の素線１ａが溝１８に入り込むよう変形、つまり、伸び変形するため、新生面が発生し、圧縮力を受けることなどによって凝着が発生する。従って、溝（セレーション）１８によっても素線１ａ間の導通抵抗の低減が図られる。
【００２０】
芯線１は、アルミ製である。アルミ製の素線１ａ，１ｂは、銅合金製に較べて表面にできる酸化被膜が硬い。そのため、アルミ製の芯線１は、素線１ａ，１ｂ間の導通抵抗による電気抵抗の増加が問題であったが、本発明では、上記した理由により素線１ａ，１ｂ間の導通抵抗を低減できる。
【００２１】
芯線１は、硬度が異なる素線１ｂ，１ａ同士が１箇所以上で隣接する配列パターンである。従って、圧着時において、任意の柔らかい素線１ａと硬い素線１ｂが１箇所以上で摺動するため、全ての各素線１ａ，１ｂについて確実に導通を確保できる。
【００２２】
この実施形態では、芯線１がアルミ製であるが、本発明はアルミ製以外の芯線１（例えば銅合金製）であっても適用できる。
【００２３】
この実施形態では、芯線１は、硬度が異なる二種類の素線１ａ，１ｂから形成されているが、硬度が異なる三種類以上の素線から形成されても良い。硬度の相違する素線１ａ，１ｂは、例えば調質や組成の相違によって形成可能である。
【００２４】
この実施形態では、芯線圧着部１６の内面に設けるセレーションは、溝１８であるが、突部でも良く、又、溝と突部の両方であっても良い。
【符号の説明】
【００２５】
Ｗ  電線（電線圧着用電線）
１  芯線
１ａ  柔らかい素線
１ｂ  硬い素線
２  絶縁外皮
１０  圧着端子（電線付き圧着端子）
【図１】
2015076354.tif 000003
【図２】
2015076354.tif 000004
【図３】
2015076354.tif 000005
【図４】
2015076354.tif 000006
【図５】
2015076354.tif 000007
【図６】
2015076354.tif 000008
【図７】
2015076354.tif 000009